(57)【要約】【課題】用紙搬送装置において、簡素な構成で送風を行う。【解決手段】用紙搬送装置１は、用紙Ｐを搬送する回転部材（駆動ローラ１１及び従動ローラ１２）と、送風を行う送風機構２０と、回転部材（駆動ローラ１１）の動力を送風機構２０に伝達する動力伝達部（ベルト３０）とを備える。【選択図】図１
2020001871.tif 000002
【特許請求の範囲】
【請求項１】
用紙を搬送する回転部材と、
送風を行う送風機構と、
前記回転部材の動力を前記送風機構に伝達する動力伝達部と
を備えることを特徴とする用紙搬送装置。
【請求項２】
前記回転部材を駆動する駆動部と、
前記駆動部を制御する制御部とを備え、
前記制御部は、前記回転部材によって搬送される前記用紙の枚数及び種類のうち少なくとも一方に基づいて、前記駆動部を介して前記回転部材の回転速度を調整することによって前記送風機構の送風量を調整する
を備えることを特徴とする請求項１記載の用紙搬送装置。
【請求項３】
前記回転部材を駆動する駆動部と、
前記駆動部を制御する制御部と、
前記用紙を検知するセンサとを備え、
前記送風機構は、前記センサに風を当て、
前記制御部は、前記回転部材によって搬送される前記用紙の枚数、前記回転部材によって搬送される前記用紙の種類、及び前記センサの透過量のうち少なくとも１つに基づいて、前記駆動部を介して前記回転部材の回転速度を調整することによって前記送風機構の送風量を調整する
ことを特徴とする請求項１記載の用紙搬送装置。
【請求項４】
前記回転部材を駆動する駆動部と、
前記駆動部を制御する制御部と、
前記用紙を検知するセンサとを備え、
前記送風機構は、前記複数枚の用紙の紙間を通して前記センサに風を当て、
前記制御部は、前記送風機構の風が前記紙間を通るときよりも前記用紙に当たるときに弱まるように、前記駆動部を介して前記回転部材の回転速度を調整することによって前記送風機構の送風量を調整する
ことを特徴とする請求項１記載の用紙搬送装置。
【請求項５】
前記回転部材を駆動する駆動部と、
前記駆動部を制御する制御部と、
前記用紙を検知するセンサとを備え、
前記送風機構は、前記複数枚の用紙の紙間を通して前記センサに風を当て、
前記制御部は、前記回転部材によって搬送される前記用紙の枚数、及び前記センサの透過量のうち少なくとも一方に基づいて、前記紙間を調整することによって、前記送風機構から前記センサへの風の当たりやすさを調整する
ことを特徴とする請求項１記載の用紙搬送装置。
【発明の詳細な説明】
【技術分野】
【０００１】
本発明は、用紙搬送装置に関する。
【背景技術】
【０００２】
従来、吸引ファンに連通する紙粉吸引管によって、用紙に付着した紙粉を搬送の都度除去する紙粉除去装置が提案されている（例えば、特許文献１参照）。
【０００３】
また、用紙の搬送が終了した後に紙粉等のゴミ類を除去するため、送風機が、用紙の反りを押さえる第１の風量よりも強風量である第２の風量で、用紙の端部を検知する端部検知センサに向けて風を吹き出す画像形成装置が提案されている（例えば、特許文献２参照）。
【先行技術文献】
【特許文献】
【０００４】
【特許文献１】特開平１１−３５１８６号公報
【特許文献２】特開２００９−２９２５８６号公報
【発明の概要】
【発明が解決しようとする課題】
【０００５】
ところで、例えば印刷装置に配置される用紙搬送装置においては、用紙から生じる紙粉などの塵埃が、用紙を検知するセンサなどに付着することがある。例えば、塵埃がセンサに付着すると、センサの誤検知が発生する。なお、紙粉は、用紙が搬送に伴って例えばローラ、搬送ガイドなどに接触することによって用紙から生じる。
【０００６】
このような紙粉などの塵埃を除去するために、上述の紙粉除去装置及び画像形成装置のように送風を行うと、塵埃を除去するためのファンモータ等の電気部品が必要になるため、コストアップや電力増加を招く。
【０００７】
なお、用紙搬送装置においては、センサのほか、印刷部、駆動モータ、電源、電磁クラッチ等にも、塵埃の除去のため或いは冷却のために送風を行うことが考えられる。また、用紙自体に、反りを抑えるため或いは塵埃の除去のために送風を行うことも考えられる。
【０００８】
本発明の目的は、簡素な構成で送風を行うことができる用紙搬送装置を提供することである。
【課題を解決するための手段】
【０００９】
１つの態様では、用紙搬送装置は、用紙を搬送する回転部材と、送風を行う送風機構と、前記回転部材の動力を前記送風機構に伝達する動力伝達部とを備える。
【発明の効果】
【００１０】
前記態様によれば、簡素な構成で送風を行うことができる。
【図面の簡単な説明】
【００１１】
【図１】一実施の形態に係る用紙搬送装置を示す構成図である。
【図２】一実施の形態に係る用紙搬送装置の制御構成を示す図である。
【図３】一実施の形態に係る用紙搬送方法を説明するためのフローチャートである。
【発明を実施するための形態】
【００１２】
以下、本発明の実施の形態に係る用紙搬送装置について、図面を参照しながら説明する。
【００１３】
図１は、一実施の形態に係る用紙搬送装置１を示す構成図である。
図２は、用紙搬送装置１の制御構成を示す図である。
【００１４】
図１に示すように、用紙搬送装置１は、駆動ローラ１１と、従動ローラ１２と、送風機構２０と、ベルト３０と、センサ４０と、搬送ガイド５０とを備える。また、図２に示すように、用紙搬送装置１は、制御部６０と、駆動モータ７０と、記憶部８０とを備える。
【００１５】
用紙搬送装置１は、例えば印刷装置に配置される。この印刷装置は、例えば、用紙搬送装置１と、用紙Ｐに印刷を行う印刷部と、用紙Ｐの給紙を行う給紙部と、用紙Ｐの排紙を行う排紙部と、操作パネル部とを備える。この操作パネル部は、各種操作を行うための操作キーや各種情報を表示する表示部などを有することで、入力部及び表示部の一例として機能する。但し、用紙搬送装置１は、印刷装置以外の装置に配置されていてもよい。
【００１６】
図１に示す駆動ローラ１１及び従動ローラ１２は、用紙Ｐを搬送する回転部材の一例であり、互いに対向して配置されている。図１の例では、駆動ローラ１１及び従動ローラ１２は、図１における左方向である搬送方向に用紙Ｐを搬送する。なお、上記の回転部材としては、ローラに限らずベルト等の回転する部材であってもよい。
【００１７】
駆動ローラ１１は、図２に示す駆動モータ７０から、駆動ローラ１１の回転中心軸である駆動ローラ軸１１ａに対し、動力を伝達される。なお、駆動モータ７０の出力軸が駆動ローラ軸１１ａであってもよい。
【００１８】
送風機構２０は、複数の羽根２１及び送風部軸２２を有する例えばプロペラ状の送風ファンである。
【００１９】
複数の羽根２１は、羽根２１の回転中心軸である送風部軸２２から例えば放射状に延びる。
【００２０】
送風機構２０は、複数の羽根２１が回転することによって送風を行い、複数枚の用紙Ｐの紙間Ｌを通して受光部４２に風を当てるとともに、紙間Ｌを介さずに発光部４１に風を当てる。これにより、発光部４１及び受光部４２に付着した紙粉等の塵埃が除去される。なお、送風機構２０は、センサ４０に風を当てる場合には、センサ４０の発光部４１及び受光部４２のうち少なくとも一方に風を当てればよい。
【００２１】
送風機構２０は、任意の向きに送風を行うためには、羽根２１が設けられた回転中心軸が例えばかさ歯車を介して送風部軸２２に連結されることによって、送風部軸２２とは異なる向きの回転中心軸を中心に羽根２１が回転するとよい。送風部軸２２は、駆動ローラ軸１１ａに平行であるため、羽根２１の回転中心軸をセンサ４０等へ向けて調整するためである。
【００２２】
なお、送風機構２０は、紙間Ｌを通さずにセンサ４０に風を当てるように配置されていてもよいし、用紙Ｐの反りを抑えるため或いは塵埃の除去のために用紙Ｐに風を当てるように配置されていてもよいし、塵埃の除去のため或いは冷却のために、駆動モータ７０、印刷部、電源、電磁クラッチ等のセンサ４０以外の部品に風を当てるように配置されていてもよい。
【００２３】
ベルト３０は、駆動ローラ１１の駆動ローラ軸１１ａと送風機構２０の送風部軸２２とに架け渡されている。ベルト３０は、駆動ローラ１１の動力を送風機構２０に伝達する。
【００２４】
なお、ベルト３０は、回転部材（駆動ローラ１１）の動力を送風機構２０に伝達する動力伝達部の一例であるが、この動力伝達部としてはベルト３０ではなくギアなどの他の部材であってもよい。また、ベルト３０は、駆動ローラ１１の回転に伴って又は用紙Ｐの搬送に伴って回転する従動ローラ１２の動力を送風機構２０に伝達するものであってもよい。また、ベルト３０は、センサ４０に風を当てる場合には、センサ４０に最も近い回転部材、又はセンサ４０近傍の回転部材から、送風機構２０に動力を伝達することが望ましい。
【００２５】
ベルト３０が駆動ローラ軸１１ａ及び送風部軸２２に架け渡されているため、駆動ローラ１１が駆動モータ７０の駆動によって図１における反時計回りに回転するとき、送風機構２０の羽根２１も図１における反時計回りに回転する。これにより、送風機構２０が送風を行う。
【００２６】
なお、駆動ローラ１１が図１における時計回りにも回転し、用紙Ｐを図１における右方向にも搬送する場合（すなわち、駆動ローラ１１が用紙Ｐを図１における左右の両方向に搬送する場合）には、駆動ローラ１１が時計回りに回転しても羽根２１が時計回り（反対方向）に回転しないように、送風部軸２２には逆転防止部の一例であるワンウェイクラッチが設けられていることが望ましい。
【００２７】
センサ４０は、例えば、発光部４１によって発される検出光が用紙Ｐに遮られずに受光部４２によって受光されるかによって用紙Ｐの有無を検知する。但し、センサ４０は、反射型光学センサなどの他のセンサであってもよい。
【００２８】
図１の例では、用紙Ｐの搬送経路の下方に発光部４１が配置され、用紙Ｐの搬送経路の上方において発光部４１に対向するように受光部４２が配置されている。なお、用紙Ｐは、例えば平面状の搬送ガイド５０上を搬送される。この搬送ガイド５０には、発光部４１の検出光を透過させる部分や駆動ローラ１１と従動ローラ１２との対向部分において、検出光との干渉或いは駆動ローラ１１及び従動ローラ１２との干渉を回避するために、例えば貫通孔が設けられている。
【００２９】
図２に示す制御部６０は、用紙搬送装置１全体の動作を制御する演算処理装置として機能するプロセッサ（例えばＣＰＵ： Central Processing Unit）を有し、駆動モータ７０、センサ４０等の各部の動作を制御する。なお、用紙搬送装置１が印刷装置に配置される場合には、印刷装置の制御部が用紙搬送装置１の制御部６０を兼ねていてもよい。
【００３０】
駆動モータ７０は、駆動ローラ１１を駆動する駆動部（アクチュエータ）の一例である。
【００３１】
記憶部８０は、例えば、所定の制御プログラムが予め記録されている読み出し専用半導体メモリであるＲＯＭ（Read Only Memory）、プロセッサが各種の制御プログラムを実行する際に必要に応じて作業用記憶領域として使用される随時書き込み読み出し可能な半導体メモリであるＲＡＭ（Random Access Memory）、ハードディスク装置などである。
【００３２】
図３は、一実施の形態に係る用紙搬送方法を説明するためのフローチャートである。
なお、図３に示す各処理は、図２に示す制御部６０によって行われる処理であり、用紙搬送装置１が印刷装置に配置される場合には、制御部６０が印刷ジョブを受信することによって開始する。
【００３３】
まず、制御部６０は、センサ４０の搬送前（印刷前）の透過量が紙粉除去の必要なレベルであるかを判定する（ステップＳ１）。この判定は、例えば、発光部４１と受光部４２との間に用紙Ｐがないときに、受光部４２が受光する検出光の光量が紙粉などの付着に起因して、所定の値よりも下回っているかによって判定すればよい。この所定の値は、例えば、センサ４０の紙粉除去が必要な値（誤検知を引き起こし得る値）として予め設定されている。
【００３４】
制御部６０は、センサ４０の透過量が紙粉除去の必要なレベルであると判定すると（ステップＳ１：ＹＥＳ）、駆動ローラ１１及び従動ローラ１２によって例えば連続的に搬送される用紙Ｐの搬送枚数（例えば印刷ジョブ枚数）が一定枚数以上であるかを判定する（ステップＳ２）。この搬送枚数の判定は、搬送枚数が多いほど、用紙Ｐから生じる紙粉等の塵埃がセンサ４０に付着しやすくなるために行われる。
【００３５】
制御部６０は、駆動ローラ１１及び従動ローラ１２によって例えば連続的に搬送される用紙Ｐの搬送枚数が一定枚数以上であると判定すると（ステップＳ２：ＹＥＳ）、後述する用紙Ｐの搬送時（ステップＳ７以降）の設定に関して、駆動モータ７０を介して駆動ローラ１１の回転速度を速める（アップさせる）とともに、複数枚の用紙Ｐの紙間Ｌを長く（アップさせる）するように例えば給紙部から繰り出す用紙Ｐの間隔を長くする（ステップＳ３）。なお、駆動ローラ１１の回転速度及び紙間Ｌの両方をアップさせることが望ましいが、一方のみをアップさせてもよい。
【００３６】
制御部６０は、センサ４０の透過量が紙粉除去の必要なレベルでないと判定した場合（ステップＳ１：ＮＯ）や、印刷ジョブ枚数が一定枚数未満であると判定した場合（ステップＳ２：ＮＯ）や、ステップＳ３の処理が終了した場合には、ステップＳ４の処理を行う。
【００３７】
すなわち、制御部６０は、例えば印刷装置の操作パネル部において、用紙Ｐが送風の影響を受けやすい薄紙であると設定されているかを判定する（ステップＳ４）。このように、制御部６０は、用紙Ｐの種類を判定する。なお、制御部６０は、薄紙であるか否かの設定以外にも、例えば設定された型番等によって用紙Ｐの種類を判定してもよい。また、用紙Ｐの種類としては、紙粉が発生しやすい用紙Ｐであるか否かなどであってもよい。
【００３８】
制御部６０は、用紙Ｐが薄紙であると判定した場合（ステップＳ４：ＹＥＳ）、用紙Ｐが発光部４１と受光部４２との間を通過する間のみ、駆動モータ７０を介して駆動ローラ１１の回転速度を低下させることによって、送風機構２０の送風量を低下させる（ステップＳ５）。
【００３９】
なお、制御部６０は、ステップＳ４及びＳ５において、用紙Ｐの種類に基づき（例えば薄紙である場合に）、送風機構２０の風が紙間Ｌを通るときよりも用紙Ｐに当たるときに弱まるように、送風量を調整している。しかしながら、用紙Ｐの種類によらず、送風機構２０の風が紙間Ｌを通るときよりも用紙Ｐに当たるときに弱まるように、送風量を調整してもよい。また、制御部６０は、送風機構２０の風が、紙間Ｌ（例えば、全ての紙間Ｌ或いは数回ごとの紙間Ｌ）を通るときに用紙Ｐに当たるときよりも強まるように、送風量を調整していてもよい。
【００４０】
制御部６０は、用紙Ｐが薄紙でないと判定した場合（ステップＳ４：ＮＯ）、及びステップＳ５の処理が終了した場合、発光部４１と受光部４２との間に用紙Ｐがないときのセンサ４０の透過量を検知する間隔である検知サイクル枚数を設定する（ステップＳ６）。この検知サイクル枚数は、例えば１０枚であり、用紙Ｐが１０枚通過するたびに、発光部４１と受光部４２との間に用紙Ｐがないときのセンサ４０の透過量を取得する。なお、検知サイクル枚数は、予め設定されていてもよい。また、センサ４０の透過量は、検知サイクル枚数に限らず、制御部６０によって連続的に取得されてもよい。
【００４１】
次に、制御部６０は、例えば用紙Ｐの印刷を開始させる際に、用紙Ｐの搬送を開始させる（ステップＳ７）。
【００４２】
次に、制御部６０は、搬送されるべき用紙Ｐの残りの搬送枚数（印刷枚数）が上述の検知サイクル枚数以上であるかを判定する（ステップＳ８）。なお、用紙Ｐの搬送開始（ステップＳ７）の直後には、残りの枚数は、ステップＳ２の用紙Ｐの搬送枚数（印刷ジョブ枚数）と同じである。
【００４３】
制御部６０は、搬送されるべき用紙Ｐの残りの搬送枚数（印刷枚数）が検知サイクル枚数以上であると判定すると（ステップＳ８：ＹＥＳ）、検知サイクル枚数に到達するまで用紙Ｐの搬送を繰り返す（ステップＳ９）。
【００４４】
制御部６０は、検知サイクル枚数に到達するまで用紙Ｐの搬送を行った後（ステップＳ９：ＹＥＳ）、センサ４０の透過量が紙粉除去の必要なレベルかを判定する（ステップＳ１０）。本実施の形態では、制御部６０は、上述のとおり搬送前（印刷前）のセンサ４０の透過量が紙粉除去の必要なレベルであるかの判定（ステップＳ１）を行うのに加え、搬送中（印刷中）のセンサ４０の透過量が紙粉除去の必要なレベルであるかの判定（ステップＳ１０）を行っている。これは、センサ４０の透過量が、用紙Ｐの搬送に伴って発生する紙粉等の塵埃によって減衰していくためである。
【００４５】
制御部６０は、センサ４０の透過量が紙粉除去の必要なレベルであると判定すると（ステップＳ１０：ＹＥＳ）、駆動モータ７０を介して駆動ローラ１１の回転速度を速める（アップさせる）とともに、複数枚の用紙Ｐの紙間Ｌを長く（アップさせる）するように例えば給紙部から繰り出す用紙Ｐの間隔を長くする（ステップＳ１１）。
【００４６】
なお、制御部６０は、上述のステップＳ３又は複数回行われる場合の以前のステップＳ１１において駆動ローラ１１の回転速度及び紙間Ｌをアップさせている場合には、更にアップさせてもよいし、或いは、アップさせていない場合に限ってアップさせてもよい。また、制御部６０は、上述のステップＳ５において、用紙Ｐが発光部４１と受光部４２との間を通過する間のみ低下させた駆動ローラ１１の回転速度についてはアップさせなくてよい。
【００４７】
制御部６０は、センサ４０の透過量が紙粉除去の必要なレベルでないと判定すると（ステップＳ１０：ＮＯ）、駆動ローラ１１の回転速度をデフォルトに戻すとともに、紙間Ｌをデフォルトに戻す（ステップＳ１２）。なお、制御部６０は、上述のステップＳ５において、用紙Ｐが発光部４１と受光部４２との間を通過する間のみ低下させた駆動ローラ１１の回転速度についてはデフォルトに戻さなくてよい。
【００４８】
制御部６０は、ステップＳ１１及びＳ１２の処理が終了すると、再び上述のステップＳ８の判定処理を行う。
【００４９】
そして、制御部６０は、搬送されるべき用紙Ｐの残りの搬送枚数（印刷枚数）が検知サイクル枚数未満であると判定すると（ステップＳ８：ＮＯ）、搬送枚数（印刷ジョブ枚数）の搬送が終了するまで用紙Ｐの搬送を繰り返し（ステップＳ１３）、搬送が終了すると（ステップＳ１３：ＹＥＳ）、図３に示す処理を終了する。
【００５０】
以上説明した本実施の形態では、用紙搬送装置１は、用紙Ｐを搬送する回転部材の一例である駆動ローラ１１及び従動ローラ１２と、送風を行う送風機構２０と、駆動ローラ１１の動力を送風機構２０に伝達する動力伝達部の一例であるベルト３０とを備える。
【００５１】
そのため、送風機構２０は、駆動ローラ１１の動力によって送風を行うことができる。これにより、送風機構２０に送風を行わせるためのファンモータ等の電気部品を省略し、既存の駆動部品である駆動ローラ１１や駆動モータ７０を用いて送風機構２０に送風を行わせることができる。したがって、電気部品の設置に伴うコストアップ及び電力増加を回避することができる。よって、本実施の形態によれば、簡素な構成で送風を行うことができる。また、用紙Ｐを搬送しながら送風機構２０の送風を行うことができるため、例えば用紙Ｐの搬送に伴って発生する紙粉等の塵埃を、用紙Ｐを搬送しながら即座に除去することができる。更には、駆動ローラ１１の回転速度が速いほど、用紙Ｐから紙粉が生じやすいなど送風の必要性が高まるため、駆動ローラ１１の回転速度の高低に対応する強弱の風量で、送風の必要性に応じた送風を行うことができる。
【００５２】
また、本実施の形態では、用紙搬送装置１は、駆動ローラ１１を駆動する駆動部の一例である駆動モータ７０と、この駆動モータ７０を制御する制御部６０とを備え、この制御部６０は、駆動ローラ１１及び従動ローラ１２によって搬送される用紙Ｐの枚数及び種類のうち少なくとも一方に基づいて、駆動モータ７０を介して駆動ローラ１１の回転速度を調整することによって送風機構２０の送風量を調整する。そのため、例えば、用紙Ｐの枚数が多く用紙Ｐから紙粉が発生しやすい場合に送風量を強めることができるとともに、用紙Ｐの種類が送風機構２０の送風の影響を受けやすい薄紙である場合に搬送性能に影響を与えないように送風機構２０の送風量を弱めることができる。
【００５３】
また、本実施の形態では、用紙搬送装置１は、用紙Ｐを検知するセンサ４０を備え、送風機構２０は、センサ４０に風を当て、制御部６０は、駆動ローラ１１及び従動ローラ１２によって搬送される用紙Ｐの枚数、駆動ローラ１１及び従動ローラ１２によって搬送される用紙Ｐの種類、及びセンサ４０の透過量のうち少なくとも１つに基づいて、駆動モータ７０を介して駆動ローラ１１の回転速度を調整することによって送風機構２０の送風量を調整する。そのため、例えば、用紙Ｐの枚数が多く用紙Ｐから紙粉が発生しやすい場合や、センサ４０に紙粉等の塵埃が付着してセンサ４０の透過量が下がってきた場合に、送風量を強めてセンサ４０に付着した紙粉等の塵埃を除去し、センサ４０の誤検知を防止することができる。更には、用紙Ｐの種類が送風機構２０の送風の影響を受けやすい薄紙である場合に搬送性能に影響を与えないように送風機構２０の送風量を弱めることができる。
【００５４】
また、本実施の形態では、送風機構２０は、複数枚の用紙Ｐの紙間Ｌを通してセンサ４０に風を当て、制御部６０は、送風機構２０の風が紙間Ｌを通るときよりも用紙Ｐに当たるときに弱まるように、駆動モータ７０を介して駆動ローラ１１の回転速度を調整することによって送風機構２０の送風量を調整する。そのため、風が用紙Ｐへ当たるときには、搬送性能に影響を与えないように送風機構２０の送風量を弱めることができる。更には、風が用紙Ｐへ当たるときよりも強い送風量でセンサ４０に付着した紙粉等の塵埃を除去し、センサ４０の誤検知を防止することができる。
【００５５】
また、本実施の形態では、制御部６０は、駆動ローラ１１及び従動ローラ１２によって搬送される用紙Ｐの枚数、及びセンサ４０の透過量のうち少なくとも一方に基づいて、紙間Ｌを調整することによって、送風機構２０からセンサ４０への風の当たりやすさを調整する。そのため、例えば、用紙Ｐの枚数が多く用紙Ｐから紙粉が発生しやすい場合や、センサ４０に紙粉等の塵埃が付着してセンサ４０の透過量が下がってきた場合に、センサ４０に風が当たりやすくすることによって、センサ４０に付着した紙粉等の塵埃を除去し、センサ４０の誤検知を防止することができる。
【００５６】
なお、本発明は、上述の実施の形態そのままに限定されるものではなく、実施段階でその要旨を逸脱しない範囲で構成要素を変形して具体化することができる。また、上述の実施の形態に開示されている複数の構成要素の適宜な組み合わせにより、種々の発明を形成することができる。例えば、実施の形態に示される全構成要素を適宜組み合わせても良い。このような、発明の趣旨を逸脱しない範囲内において種々の変形や応用が可能であることはもちろんである。以下に、本願の出願当初の特許請求の範囲に記載された発明を付記する。
【００５７】
［付記１］
用紙を搬送する回転部材と、
送風を行う送風機構と、
前記回転部材の動力を前記送風機構に伝達する動力伝達部と
を備えることを特徴とする用紙搬送装置。
［付記２］
前記回転部材を駆動する駆動部と、
前記駆動部を制御する制御部とを備え、
前記制御部は、前記回転部材によって搬送される前記用紙の枚数及び種類のうち少なくとも一方に基づいて、前記駆動部を介して前記回転部材の回転速度を調整することによって前記送風機構の送風量を調整する
を備えることを特徴とする請求項１記載の用紙搬送装置。
［付記３］
前記回転部材を駆動する駆動部と、
前記駆動部を制御する制御部と、
前記用紙を検知するセンサとを備え、
前記送風機構は、前記センサに風を当て、
前記制御部は、前記回転部材によって搬送される前記用紙の枚数、前記回転部材によって搬送される前記用紙の種類、及び前記センサの透過量のうち少なくとも１つに基づいて、前記駆動部を介して前記回転部材の回転速度を調整することによって前記送風機構の送風量を調整する
ことを特徴とする付記１記載の用紙搬送装置。
［付記４］
前記回転部材を駆動する駆動部と、
前記駆動部を制御する制御部と、
前記用紙を検知するセンサとを備え、
前記送風機構は、前記複数枚の用紙の紙間を通して前記センサに風を当て、
前記制御部は、前記送風機構の風が前記紙間を通るときよりも前記用紙に当たるときに弱まるように、前記駆動部を介して前記回転部材の回転速度を調整することによって前記送風機構の送風量を調整する
ことを特徴とする付記１記載の用紙搬送装置。
［付記５］
前記回転部材を駆動する駆動部と、
前記駆動部を制御する制御部と、
前記用紙を検知するセンサとを備え、
前記送風機構は、前記複数枚の用紙の紙間を通して前記センサに風を当て、
前記制御部は、前記回転部材によって搬送される前記用紙の枚数、及び前記センサの透過量のうち少なくとも一方に基づいて、前記紙間を調整することによって、前記送風機構から前記センサへの風の当たりやすさを調整する
ことを特徴とする付記１記載の用紙搬送装置。
【符号の説明】
【００５８】
１  用紙搬送装置
１１  駆動ローラ
１１ａ  駆動ローラ軸
１２  従動ローラ
２０  送風機構
２１  羽根
２２  送風機構軸
３０  ベルト
４０  センサ
４１  発光部
４２  受光部
５０  搬送ガイド
６０  制御部
７０  駆動モータ
８０  記憶部
Ｐ  用紙
【図１】
2020001871.tif 000003
【図２】
2020001871.tif 000004
【図３】
2020001871.tif 000005